(57)【要約】      （修正有）【課題】施錠、解錠の状態を表示する機能を備えたものであって、ロータの交換作業の簡単化を図ることができ、全体の大型化を極力抑制することができると共に、組み付け作業性を向上させることができる簡単な構成の錠装置を提供する。【解決手段】ロータケース１１に設けられた表示部材２３，２４は、その外周面が円筒状をなすロータケース１１の外周面とほぼ面一になるようにロータケース１１の取付凹部２１，２２に取り付けられている。取付凹部２１，２２の前部側凹部４３は内周側より外周側が幅狭に形成されていると共に、表示部材２３，２４の係合爪４７はその可撓性により後部側凹部４４の係合段部４４ａに嵌まり込む。施錠時および解錠時にロータ３５のフランジ３８に設けた窓部２８から表示部材２３，２４が択一的に出現する。【選択図】図２
2007327227.tif 000002
【特許請求の範囲】
【請求項１】
鍵が挿入されるロータと、このロータを回転可能に収容する円筒状に形成されたロータケースとを備えた錠装置において、
前記ロータの前端部に設けられ、前記ロータケース前面の少なくとも一部を覆うフランジと、
このフランジに形成された窓部と、
前記ロータケース前部の外周部に、施錠時および解錠時における前記窓部の位置と対応するように２箇所に設けられた取付凹部と、
これら取付凹部に、前記ロータケースの外周部に沿うように、前記ロータケースの前側から軸方向に夫々装着され、前記施錠時および解錠時に前記窓部から択一的に出現する可撓性材料からなる２個の表示部材とを備え、
前記取付凹部は、前記ロータケースの前部側に内周側より外周側が幅狭に形成され前記表示部材の前部が嵌合される前部側凹部と、この前部側凹部の後側に前記表示部材の後端部の係合爪が係合する係合段部とを有し、
前記表示部材は、前記取付凹部への装着状態で、その外周面が前記ロータケースの外周面とほぼ面一になるように構成されていることを特徴とする錠装置。
【請求項２】
鍵が挿入されるロータと、このロータを回転可能に収容する円筒状に形成されたロータケースとを備えた錠装置において、
前記ロータの前端部に設けられ、前記ロータケース前面の少なくとも一部を覆うフランジと、
このフランジに形成された窓部と、
前記ロータケース前部の内周部に、施錠時および解錠時における前記窓部の位置と対応するように２箇所に設けられた取付凹部と、
これら取付凹部に、前記ロータケースの内周部に沿うように、前記ロータケースの前側から軸方向に夫々装着され、前記施錠時および解錠時に前記窓部から択一的に出現する可撓性材料からなる２個の表示部材とを備え、
前記取付凹部は、前記ロータケースの前部側に外周側より内周側が幅狭に形成され前記表示部材の前部が嵌合される前部側凹部と、この前部側凹部の後側に前記表示部材の後端部の係合爪が係合する係合段部とを有し、
前記表示部材は、前記取付凹部への装着状態で、その内周面が前記ロータケースの内周面とほぼ面一になるように構成されていることを特徴とする錠装置。
【請求項３】
前記窓部は前記フランジの外周に沿う方向に幅広に形成され、前記取付凹部の前部側凹部および前記表示部材の前部は前記窓部とほぼ同じ幅寸法に形成されていることを特徴とする請求項１又は２に記載の錠装置。
【請求項４】
前記窓部の周縁部は、前記フランジの後面側から前面側に向うに従って拡がる斜面により形成されていることを特徴とする請求項１乃至３の何れかに記載の錠装置。
【請求項５】
前記２個の表示部材は、夫々異なる色の合成樹脂材料からなることを特徴とする請求項１乃至４の何れかに記載の錠装置。
【発明の詳細な説明】
【技術分野】
【０００１】
本発明は、施錠、解錠の状態を表示する機能を備えた錠装置に関する。
【背景技術】
【０００２】
従来より、机の引出しや家屋の扉などに取り付けられる錠装置は、鍵が挿入されるロータと、このロータを収容するロータケースとを備えて構成されるのが一般である。この種の錠装置においては、施錠、解錠の状態を視認できるように表示部を具備したものが開示されている（例えば特許文献１参照）。
【０００３】
この錠装置では、シリンダーヘッド（ロータ）と、錠前本体（ロータケース）と、２種類の色で着色された表示板とを具備して構成されており、当該錠装置の前端部に、表示板を露出させる開口部を設けたケースカバーが配設されている。そして、ロータに鍵が挿入され施錠および解錠動作が行われることで、ロータと共に表示板またはケースカバーが回転する。これにより、ケースカバーの開口部から表示板の２種類の色が択一的に表示され、施錠または解錠の状態を視認できるようになっている。
しかしながら、上記構成の錠装置によれば、ロータケースとは別個にケースカバーが必要となる。また、机の所有者が変わる等して、机の引出しに付設された錠装置のロータを交換する際、ロータに表示板またはケースカバーが設けられているため、これを新しいロータに付け替える必要がありロータの交換作業が面倒となる問題がある。
【０００４】
一方、図１２（ａ）、（ｂ）に示すような錠装置が提案されている（例えば特許文献２参照）。この錠装置は、内筒（ロータ１）と直方体状をなす固定外筒（ロータケース２）とを備えており、ロータ１の前端部に、前記ケースカバーに代わるフランジ部３が一体的に設けられている。ロータケース２の前面に、ロータ１のフランジ部３に対向させるようにして施錠および解錠の表示（表示板４）が設けられ、フランジ部３には、施錠の表示および解錠の表示が択一的に見えるように開口部３ａが形成されている。表示板４は、環状の正面板部とこの正面板部から後方に延出する係合脚片４ａ，４ａとを一体に有し、対称的に２つ割りにした部分片４ｂ，４ｂを組み付けることにより構成されている。組み付けられた表示板４は、ロータケース２の前部に設けられた係入穴５，５に係合脚片４ａ，４ａを挿入して係止させることにより、ロータケース２に装着される。このような構成のものの場合、ケースカバーを別途必要とせず、また、表示板４はロータケース２側に設けられているため、ロータ１を交換する際に表示板４を付け替える必要がない。
【特許文献１】特許第３２３５４１５号公報
【特許文献２】特開平１０−３１１１７２号公報
【発明の開示】
【発明が解決しようとする課題】
【０００５】
ところが、上記構成によれば、表示板４の係合脚片４ａを係止するために、係入穴５として軸方向に延びる穴部５ａだけでなく、穴部５aと連通する外周側に開放された穴部５ｂが必要的に形成されるため、ロータケース２の構造が複雑となる。また、直方体状のロータケース２に係入穴５を設けることで、その分ロータケース２の肉厚が増加し錠装置全体の大型化を招く問題がある。しかも、表示板４をロータケース２に組み付ける際、部分片４ｂ，４ｂを互いに結合し、必要に応じて部分片４ｂ，４ｂ間、或は表示板４とロータケースとの間に接着剤を施すため、組み付け作業に多くの時間を要する。
【０００６】
本発明は、上記事情に鑑みてなされたものであり、その目的は施錠、解錠の状態を表示する機能を備えたものであって、ロータの交換作業の簡単化を図ることができ、全体の大型化を極力抑制することができると共に、組み付け作業性を向上させることができる簡単な構成の錠装置を提供することにある。
【課題を解決するための手段】
【０００７】
上記の目的を達成するために本発明は、鍵が挿入されるロータと、このロータを回転可能に収容する円筒状に形成されたロータケースとを備えた錠装置において、前記ロータの前端部に設けられ、前記ロータケース前面の少なくとも一部を覆うフランジと、このフランジに形成された窓部と、前記ロータケース前部の外周部に、施錠時および解錠時における前記窓部の位置と対応するように２箇所に設けられた取付凹部と、これら取付凹部に、前記ロータケースの外周部に沿うように、前記ロータケースの前側から軸方向に夫々装着され、前記施錠時および解錠時に前記窓部から択一的に出現する可撓性材料からなる２個の表示部材とを備え、前記取付凹部は、前記ロータケースの前部側に内周側より外周側が幅狭に形成され前記表示部材の前部が嵌合される前部側凹部と、この前部側凹部の後側に前記表示部材の後端部の係合爪が係合する係合段部とを有し、前記表示部材は、前記取付凹部への装着状態で、その外周面が前記ロータケースの外周面とほぼ面一になるように構成されていることを特徴とする。
【０００８】
また、本発明は、鍵が挿入されるロータと、このロータを回転可能に収容する円筒状に形成されたロータケースとを備えた錠装置において、前記ロータの前端部に設けられ、前記ロータケース前面の少なくとも一部を覆うフランジと、このフランジに形成された窓部と、前記ロータケース前部の内周部に、施錠時および解錠時における前記窓部の位置と対応するように２箇所に設けられた取付凹部と、これら取付凹部に、前記ロータケースの内周部に沿うように、前記ロータケースの前側から軸方向に夫々装着され、前記施錠時および解錠時に前記窓部から択一的に出現する可撓性材料からなる２個の表示部材とを備え、前記取付凹部は、前記ロータケースの前部側に外周側より内周側が幅狭に形成され前記表示部材の前部が嵌合される前部側凹部と、この前部側凹部の後側に前記表示部材の後端部の係合爪が係合する係合段部とを有し、前記表示部材は、前記取付凹部への装着状態で、その内周面が前記ロータケースの内周面とほぼ面一になるように構成されていることを特徴とする。
【発明の効果】
【０００９】
本発明によれば、表示部材をロータケースに設けたため、ロータを交換する際に表示部材を付け替える必要がない。表示部材は、その外周面または内周面が円筒状をなすロータケースの外周面または内周面とほぼ面一になるようにロータケースに取り付けることができるので、表示機能を備えた錠装置の構成をコンパクトにすることができる。また、前部側凹部は内周側より外周側が、或は外周側より内周側が幅狭に形成されていると共に、表示部材の係合爪はその可撓性により係合段部に嵌まり込む。従って、表示部材を取付凹部に対し前側から差し込むだけで固定することができるので、組み付け作業性を向上させることができる。
【発明を実施するための最良の形態】
【００１０】
＜第１の実施形態＞
以下、本発明の第１の実施形態について図１乃至図６を参照しながら説明する。図１は錠装置の前方からの斜視図を示し、図２は錠装置の構成部品を分解した状態の斜視図を合鍵と共に示している。また、図３（ａ）および（ｂ）は施錠時および解錠時の錠装置の正面図を、図４は図３（ａ）のＡ−Ａ線に沿う断面図を示している。
【００１１】
この錠装置１０のロータケース１１は、金属材料からなり、全体として円筒状に形成されている。ロータケース１１の後部（図１中、左部）には、ロータケース１１外周の接線方向に延びるように一対の延出片部１２ａ，１２ｂが一体的に形成されていると共に、各延出片部１２ａ，１２ｂには孔部１３が夫々設けられている。図示は省略するが、ロータケース１１は、孔部１３に夫々挿通されるネジにより、机の引出しの前部に固定されるようになっている。
【００１２】
ロータケース１１後部には、図３中、右方の延出片部１２ａ上側に位置して右方へ突出する固定部１４と、左方の延出片部１２ｂ上側に位置して左方へ突出する案内部１５が一体的に設けられている。案内部１５の内部には、案内溝（図示せず）が軸方向に延びるように形成されている。これらロータケース１１、固定部１４および案内部１５の後面を覆うように、リテーナ１６が配置されている。図２に示すように、リテーナ１６には、固定部１４に対応するようにネジ孔１７が形成されていると共に、ネジ孔１７より径大な孔部１８が形成されている。また、リテーナ１６は、孔部１８の周縁部に設けられた凸部１９と、前記案内溝に係合する差込部２０とを一体的に有して構成されている。リテーナ１６は、ネジ孔１７に挿通されたネジ１７ａがロータケース１１の固定部１４に螺挿されることにより固定されている。
【００１３】
ロータケース１１前部の外周部には、取付凹部２１，２２が２箇所に設けられている。詳しくは後述するように、取付凹部２１，２２は互いに対向する位置に形成されていて、これら取付凹部２１，２２に夫々異なる色の表示部材２３，２４が装着されるようになっている。
【００１４】
ロータケース１１内周部の前半部には、軸方向に延びるタンブラ係合溝２５（図２、図５参照）が、取付凹部２１，２２と十字状配置となるよう、対向する２箇所に形成されている。延出片部１２ａ側（図５中、右側）のタンブラ係合溝２５の前端両側部には、後方に向うに従い内方に傾斜する斜面２５ａ，２５ａが形成されている。また、図４に示すように、ロータケース１１内周部にはタンブラ係合溝２５の後方に位置して、第１段部２６と第２段部２７とが形成されている。第１段部２６の後方に形成された第２段部２７には、ロータケース１１内に収容された、挿通孔３１ａを有するプレート３１が回転不能に係止されている。
【００１５】
ロータケース１１内には、プレート３１とリテーナ１６との間に位置して、連結部材３２が回転可能に収容されている。連結部材３２は前半部よりも後半部のほうが径小になっており、その径小部３３はリテーナ１６の孔部１８に挿通された状態で後方に突出するように設けられている。連結部材３２の径大部３４の前端部には、被嵌合部３４ａが形成されている。この被嵌合部３４ａに、後述するロータ３５の後端部（嵌合部３９）が嵌合することで、連結部材３２がロータ３５と共に回転するようになっている。径大部３４の後面側には、ほぼ半周に亘って溝部３４ｂが形成されている。この溝部３４ｂとリテーナ１６の凸部１９とが係合することにより、連結部材３２の回転範囲が規制され、以ってロータ３５の回転範囲が１８０度に規制されるようになっている。なお、連結部材３２の後端部には、図示はしないがロック機構が装着されるようになっており、ロータ３５の回転に伴い連結部材３２および当該ロック機構を介して、机の引出しの施錠および解錠動作が行われる。
【００１６】
ロータケース１１には、鍵挿入孔３６が軸方向に形成されたロータ３５が回転可能に収容されている。ロータ３５は、金属材料からなり、ほぼ円柱状をなすロータ本体３７と、このロータ本体３７の前端部に形成されたフランジ３８と、ロータ本体３７の後端部に形成された嵌合部３９とを一体に有して構成されている。ロータ本体３７は、その外周面がロータケース１１の内周面と摺接するように形成されており、ロータケース１１内に前側から収容されている。
【００１７】
図２、図４に示すように、嵌合部３９は、径小部３９ａとこの後部から径方向に突出する突出部３９ｂとを一体に有している。この嵌合部３９は、径小部３９ａの基端部までプレート３１の挿通孔３１ａに挿通されていると共に、連結部材３２の被嵌合部３４ａに嵌合されている。上記プレート３１には、ロータ３５の交換が解錠時においてのみ許容されるよう、挿通孔３１ａの周縁部（図２、図５参照）に嵌合部３９の突出部３９ｂと対応する互いに非対称の突出部挿通孔３１ｂ、３１ｃが形成されている。従って、プレート３１が収容されたロータケース１１に対するロータ３５の着脱は、ロータ３５の解錠時の回転位置（図３（ｂ）参照）にて行われるようになっている。
【００１８】
前記フランジ３８はロータケース１１の前面を覆うように形成されていると共に、フランジ３８の外周部の１箇所には窓部２８が設けられている。窓部２８は、ロータ３５の回転により施錠時に表示部材２３（図３（ａ）参照）が出現し、施錠時に表示部材２４（図３（ｂ）参照）が出現するように形成されている。窓部２８はフランジ３８の外周に沿う方向に幅広に形成されており、窓部２８の周縁部は、フランジ３８の後面側から前面側に向うに従って拡がる斜面２９ａ，２９ｂにより形成されている。詳細には、フランジ３８の外周に沿う斜面２９ａは前面側に向うに従って内方に傾斜し、斜面２９ａの両端に位置する斜面２９ｂは前面側に向うに従って周方向に傾斜している。
【００１９】
前記鍵挿入孔３６は、ロータ３５の中央部において、正面視にて横長なほぼ矩形状に形成されている。この鍵挿入孔３６の周縁部には、内方に向かい突出する一対のガイド突部４０，４０（図３参照）が一体的に設けられている。
【００２０】
図２、図４に示すように、ロータ本体３７には、径方向に貫通するタンブラ配置溝４１が、ロータ本体３７の軸方向に列をなすように複数個形成されている。後端部のタンブラ配置溝４１ａは、他のタンブラ配置溝４１よりも若干、幅広に形成されており、これらタンブラ配置溝４１，４１ａは鍵挿入孔３６と連通している。各タンブラ配置溝４１には、夫々タンブラ４２が配設されていると共に、後端部のタンブラ配置溝４１ａには幅広なストッパ用タンブラ４２ａが設けられている。各タンブラ４２およびストッパ用タンブラ４２ａは、ばね部材（図示せず）によりタンブラ配置溝４１および４１ａから延出片部１２ａ側に突出する方向へ付勢されている。図４に示すロータケース１１内周面の第１段部２６は、ほぼ半周に亘って形成されており、ロータ３５は、タンブラ配置溝４１ａから突出するストッパ用タンブラ４２ａが第１段部２６と係合することにより、軸方向つまり前方への移動不能に係止される。
【００２１】
さて、前記取付凹部２１，２２および表示部材２３，２４について、図５および図６も参照しながら説明する。図５はロータ３５を外した状態の錠装置１０の正面図を、図６は表示部材２３、２４装着前の要部の拡大斜視図を示している。
【００２２】
一対の取付凹部２１，２２は、ロータケース１１前部の外周部に、施錠時および解錠時における窓部２８の位置と対応するように設けられている。図６に示すように、取付凹部２１，２２は、ロータケース１１前部側に形成された前部側凹部４３と、その後側に形成された後部側凹部４４とを有しており、取付凹部２１，２２には全体として「Ｔ」の字状をなす内壁部４５が形成されている。前部側凹部４３は、その両側部に内周側より外周側が幅狭なガイド壁４３ｂ，４３ｂが形成され、窓部２８とほぼ同じ幅寸法に形成されていると共に、その前端部には内壁部４５を切り欠いた切欠部４３ａが設けられている。後部側凹部４４は、前部側凹部４３よりも周方向に幅狭に形成され、前部側凹部４３の後方に延びるように設けられている。後部側凹部４４の内壁部４５には、係合段部４４ａが形成されている。
【００２３】
２個の表示部材２３，２４は、夫々可撓性を有する異なる色（例えば、赤色と白色）の合成樹脂材料からなり、射出成形により全体として、ほぼ「Ｔ」の字状に形成されている。白色の表示部材２４は、延出片部１２ａ，１２ｂ側（図５中、下側）の取付凹部２１に装着されていると共に、赤色の表示部材２３は他方の取付凹部２２に装着されている。また、表示部材２３，２４は、取付凹部２１，２２への装着状態で、その外周面がロータケース１１の外周面とほぼ面一になるように構成されている。
【００２４】
表示部材２３，２４の前部は、その両側部に前部側凹部４３のガイド壁４３ｂ，４３ｂと係合するガイド部４６ａ、４６ａが形成されており、内周側より外周側が幅狭になっている。この表示部材２３，２４の前部は、前部側凹部４３とほぼ同じ周方向の幅寸法に設定されている。この表示部材２３，２４の前端部には、切欠部４３ａと嵌合する肉厚部４６ｂが一体的に設けられている。この肉厚部４６ｂは、その内周面がロータケース１１の内周面と面一になるように形成されており、ロータケース１１前端面の一部を構成する。表示部材２３，２４の後部は、後部側凹部４４とほぼ同じ周方向の幅寸法に設定されており、表示部材２３，２４の前部から後方に延びるように設けられていると共に、その後端部には内方に向けて突出する係合爪４７が一体的に設けられている。
【００２５】
本実施形態の錠装置１０の合鍵４８は、図２に示すように、薄板状をなす挿入部４９とその端部の頭部５０とからなり、挿入部４９の両側部には鍵山５１，５１が形成されている。この合鍵４８は、所謂リバーシブルに構成されたものであり、鍵山５１，５１が合鍵４８の長手方向中心線を対称軸として前記両側部の対象位置に設けられていると共に、挿入部４９の厚さ方向の両面部には長手方向に延び鍵挿入孔３６のガイド突部４０，４０と係合するガイド溝５２，５２が面対称位置に形成されている。尚、図示は省略するが、本実施形態においては、ロータ３５を交換する際に用いられるロータ交換用鍵が用意されている。このロータ交換用鍵は、挿入部が合鍵４８よりもやや長尺に形成されており、鍵挿入孔３６に挿入された当該挿入部の先端部がストッパ用タンブラ４２ａと係合するように構成されている。
【００２６】
続いて、上記した錠装置１０の組み立て手順について、図２、図６を参照しながら説明する。図２に示すように、先ずプレート３１が、ロータケース１１内に後側から収容され、ロータケース１１内周部の第２段部２７にて係止される。次いで、ロータケース１１内に連結部材３２が後側から収容された後、リテーナ１６が、差込部２０を前記案内溝に沿わせるようにして後側から嵌め込まれロータケース１１の固定部１４にネジ１７ａにより固定される。
【００２７】
そして、図６に示すように、表示部材２３，２４が取付凹部２１，２２に対して前側から組み付けられる。この組み付けは、単に、表示部材２３，２４を取付凹部２１，２２に対しロータケース１１の外周部に沿うようにして前側から差し込むことにより行われる。詳細には、取付凹部２１，２２に対し、係合爪４７を内壁部４５に当接させながら表示部材２３，２４を滑り込ませるようにして軸方向に押圧し、係合爪４７と係合段部４４ａとを係合させることにより、表示部材２３，２４が取付凹部２１，２２に固定される。この場合、表示部材２３，２４は、そのガイド部４６ａ、４６ａにて前部側凹部４３のガイド壁４３ｂ，４３ｂによりガイドされながら差し込まれ、表示部材２３，２４の前部が前部側凹部４３と嵌合し、係合爪４７がその可撓性により係合段部４４ａに嵌り込む。
【００２８】
この後、予め各タンブラ４２，４２ａおよび前記ばね部材が装着されたロータ３５が、ロータ３５の解錠位置つまりフランジ３８の窓部２８を延出片部１２ａ，１２ｂ側に配した状態で、ロータケース１１内に前側から、ストッパ用タンブラ４２ａが斜面２５ａ，２５ａによりガイドされて押し込まれながら収容される。
【００２９】
次に、以上のように構成された錠装置１０の作用について説明する。
図３（ａ）に示すように、施錠時においては、ロータ３５はフランジ３８の窓部２８から赤色の表示部材２３が出現する位置に回転されている。また、鍵挿入孔３６に何も挿入されていない状態では、各タンブラ４２が、タンブラ配置溝４１からロータケース１１のタンブラ係合溝２５内に突出した状態となっている。
【００３０】
鍵挿入孔３６に合鍵４８の挿入部４９が挿入されると、その合鍵４８により各タンブラ４２が前記ばね部材の付勢力に抗してタンブラ配置溝４１内に収容されるように移動される。この状態においては、ロータ３５の回転が可能となっており、合鍵４８の回動操作により、その合鍵４８と共にロータ３５が一体に回動する。この回動操作に伴い、連結部材３２およびその後端部に装着される図示しないロック機構を介して、机の引出しの解錠動作が行われる。この合鍵４８の回動操作がロータ３５の回転範囲たる１８０度に規制され、ロータ３５はフランジ３８の窓部２８から白色の表示部材２４が出現する解錠時の位置まで回転される（図３（ｂ）参照）。このように、施錠時および解錠時にフランジ３８の窓部２８から２個の表示部材２３，２４が択一的に出現するようになっている。
【００３１】
机の所有者が変わる等して、錠装置１０のロータ３５を交換する場合には、上述の解錠動作が行われた後、以下の作業が行われる。即ち、ロータ３５は、タンブラ配置溝４１ａから突出するストッパ用タンブラ４２ａが第１段部２６と係合することにより、常に軸方向への移動不能に係止された状態となっている。
【００３２】
鍵挿入孔３６に前記ロータ交換用鍵が挿入されると、そのロータ交換用鍵により、ストッパ用タンブラ４２ａが前記ばね部材の付勢力に抗してタンブラ配置溝４１内に収容されるように移動される。これにより、ロータ３５の前方への移動が可能となり、ロータ３５がロータ交換用鍵と共にロータケース１１内から引き抜かれるようになっている。その後、新しいロータがロータケース１１内に前側から収容される。この場合、ロータケース１１およびロータケース１１に設けられた表示部材２３，２４等は、そのままの状態で流用される。
【００３３】
以上説明したように、本実施形態の錠装置１０は、表示部材２３，２４をロータケース１１に設けため、ロータ３５を交換する際に表示部材２３，２４を付け替える必要がなく、ロータ３５の交換作業の簡単化を図ることができる。
表示部材２３，２４を、その外周面が円筒状をなすロータケース１１の外周面とほぼ面一になるようにロータケース１１に取り付けることができるので、表示機能を備えた錠装置１０の構成をコンパクトにすることができる。
【００３４】
また、前部側凹部４３に内周側より外周側が幅狭なガイド壁４３ｂ，４３ｂを形成し、表示部材２３，２４の前部にガイド壁４３ｂ，４３ｂと係合するガイド部４６ａ、４６ａを形成したので、ロータケース１１の外周部に設けた表示部材２３，２４が外側に外れないようにすることができる。また、前部側凹部４３の後側に表示部材２３，２４の後端部の係合爪４７が係合する係合段部４４ａを形成したので、ロータケース１１に装着された表示部材２３，２４が前側に外れないようにすることができ、総じて表示部材２３，２４を確実にロータケース１１に固定することができる。従って、表示部材２３，２４をロータケース１１に固定する場合、接着剤などの別個の固定手段を不要とすることができると共に、組み付け時に表示部材２３，２４が脱落することを防止することができる。
【００３５】
さらに、表示部材２３，２４は、ガイド部４６ａ、４６ａにてガイド壁４３ｂ，４３ｂによりガイドされ、係合爪４７がその可撓性により係合段部４４ａに嵌り込むように構成されている。従って、表示部材２３，２４を取付凹部２１，２２に対しロータケース１１前側から差し込むだけで固定することができるので、組み付け作業性を向上させることができる。
窓部２８の周縁部を、フランジ３８の後面側から前面側に向うに従って拡がる斜面２９ａ，２９ｂにより形成したので、表示部材２３，２４の前面の視認性を向上させることができる。
【００３６】
ロータケース１１に、タンブラ係合溝２５と取付凹部２１，２２とが径方向に重ならないよう、これらを十字状に配置したので、円筒状をなすロータケース１１の肉厚を薄くすることができる。また、窓部２８をフランジ３８の外周に沿う方向に幅広に形成すると共に、取付凹部２１，２２の前部側凹部４３および表示部材２３，２４の前部を窓部２８とほぼ同じ幅寸法に形成した。これにより、上記十字状配置と相俟って、コンパクトな錠装置１０としながらも、窓部２８から視認できる表示部材２３，２４の表示領域を大きくとることができる。
【００３７】
表示部材２３，２４の前端部に、切欠部４３ａと嵌合する肉厚部４６ｂを設け、その内周面がロータケース１１の内周面と面一になるように形成し、表示部材２３，２４がロータケース１１前端面の一部を構成するようにした。従って、より表示部材２３，２４の表示領域を大きくとることができると共に、フランジ３８との摺接に伴う表示部材２３，２４表面の損耗を抑制することができる。２個の表示部材２３，２４を、夫々異なる色の合成樹脂材料から構成したので、表示部材をラベル等により構成した場合とは異なり、表示部材２３，２４表面が損耗したとしてもその表示機能を維持することができる。
【００３８】
ところで、上記実施形態とは異なり、前述した特許文献２に記載の構成によれば、以下のような問題がある。即ち、表示板４を構成する部分片４ｂ，４ｂは射出成形により成形され、図１２（ａ）に示すように、部分片４ｂの両端部には突起４ｃおよび嵌め孔４ｄが設けられる。このため、部分片４ｂ，４ｂの構造が複雑となり、その成形型との関連からコストの上昇を招くだけでなく、組み付け時には部分片４ｂ，４ｂを互いに結合し必要に応じて部分片４ｂ，４ｂ間に接着剤が施されるため工数を増大させていた。
これに対して、本実施形態によれば、表示部材２３，２４を夫々取付凹部２１，２２に差し込むだけでロータケース１１に固定することができる。従って、表示部材２３，２４を互いに組み付ける必要がないため簡単な構成にでき、工数を低減させると共にコスト削減を図ることができる。
【００３９】
＜第２の実施形態＞
図７乃至図１１は、本発明の第２の実施形態を示すものであり、第１の実施形態と異なるところを説明する。図７は全体の外観斜視図を、図８（ａ）および（ｂ）は施錠時および解錠時の正面図を、図９は図８（ａ）のＢ−Ｂ線に沿う断面図を示しており、第１の実施形態と同一部分には同一符号を付している。なお、第１の実施形態と同様、錠装置は机の引出しに適用されるものとする。
【００４０】
錠装置１０に代わる錠装置５３は、第１の実施形態の錠装置１０とは以下の点について相違する。即ち、図９に示すように、本実施形態の錠装置５３には、ロック機構５４が設けられていると共に、これらを後面側にて固定するブラケット５５と、これら全体の前部を覆うカバー部材５６とが配設されている。
ブラケット５５は、全体として矩形皿状をなし、図９中、上下両端部に夫々取付孔５７、５７が形成されていると共に、その取付孔５７、５７間の壁部５８にフック用開口部５８ａが形成されている。
【００４１】
また、ブラケット５５の壁部５８には、前側からロータケース１１が取り付けられている。ロータケース１１の後半部には、図９中、上方に延びるように一対の延出片部５９，５９が一体的に設けられている。詳しい図示は省略するが、延出片部５９，５９はロータケース１１を挟んで互いに平行に配置されており、ロータケース１１は延出片部５９の先端部５９ａおよび基端部（図示せず）にてネジ６０により固定されている。延出片部５９の後面部にはスライド溝５９ｂが設けられていると共に、延出片部５９には、図９中、ロータケース１１上側に位置して傾斜溝５９ｃが形成されている。
【００４２】
延出片部５９のスライド溝５９ｂにプレート６１が図９中、上下に移動可能に設けられている。プレート６１には、上部に上側が開放されたフック用開口部６１ａが形成されていると共に、延出片部５９，５９を挟むようにして配された長円状の長孔６２ａを有する一対の折曲部６２、６２が形成されている。また、プレート６１には、下端部に長円状の長孔６１ａが形成されており、この長孔６１ａに、連結部材３２後面に一体的に設けられた偏心凸部６３が挿通されている。これにより、ロータ３５が１８０度回転されるとその回転が連結部材３２に伝えられ、偏心凸部６３が長孔６１ａ内に係合して回転することで、プレート６１がスライド溝５９ｂに沿って往路、或いは復路を移動（図９中、上方、或いは下方に移動）するようになっている。
【００４３】
一対の延出片部５９，５９間に、傾斜溝５９ｃの近傍に位置して掛け渡された枢支軸６４には、ロック体６５が回動可能に設けられている。ロック体６５は、図９に示す回動位置にて、その一方の端部に形成されたほぼ「レ」の字状のフック部６５ａと、机の本体側とが係合することにより施錠状態となるように構成されている。ロック体６５の他方の端部にはカム溝６６が形成されており、カム溝６６、長孔６２ａおよび傾斜溝５９ｃに摺動ピン６８が挿通されている。ロータ３５の回転に基づいてプレート６１が往復動すると、これに伴い摺動ピン６８がカム溝６６内に係合しながら傾斜溝５９ｃに沿い斜めに移動してロック体６５を前後に回動させることにより、ブラケット５５のフック用開口部５８ａからロック体６５が出没し、机の引出しの施錠および解錠動作が行われる。
【００４４】
カバー部材５６は、全体として薄型の台形箱状をなし、その両端部にはネジ穴５６ａ，５６ａが形成されており、このネジ穴５６ａ，５６ａとブラケット５５の取付孔５７、５７とに螺挿される図示しないネジによりブラケット５５の前面側に固定されている。カバー部材５６は、その前面部にロータケース１１の前半部を収容する円筒部６９が一体的に形成され、円筒部６９の前端面からフランジ３８を覗かせるように構成されている。これにより、図８（ａ）および（ｂ）に示すように、施錠時および解錠時にフランジ３８の窓部２８から表示部材２３，２４を視認できるようになっている。
【００４５】
本実施形態の取付凹部２１，２２および表示部材２３，２４について、図１０および図１１も参照しながら説明する。図１０はロータ３５を外した状態の錠装置１０の正面図を、図１１は表示部材２３、２４装着前の要部の拡大斜視図を示している。
【００４６】
一対の取付凹部２１，２２は、ロータケース１１前部の内周部に、施錠時および解錠時における窓部２８の位置と対応するように設けられている。取付凹部２１，２２は、ロータケース１１の前部側に形成された前部側凹部７０と、その後側に形成された後部側凹部７１とを有しており、取付凹部２１，２２には全体として「Ｔ」の字状をなす内壁部７２が形成されている。前部側凹部７０は、その両側部に外周側より内周側が幅狭なガイド壁７０ａ，７０ａが形成され、窓部２８とほぼ同じ幅寸法に形成されている。後部側凹部７１は、前部側凹部７０よりも周方向に幅狭に形成され、前部側凹部７０の後方に延びるように設けられている。後部側凹部７１の内壁部７２には、係合段部７１ａが形成されている。
【００４７】
表示部材２３，２４は、取付凹部２１，２２への装着状態で、その内周面がロータケース１１の内周面と面一になるように構成されている（図１０参照）。表示部材２３，２４の前部は、その両側部に前部側凹部７０のガイド壁７０ａ，７０ａと係合するガイド部７３ａ、７３ａが形成されており、外周側より内周側が幅狭になっている。この表示部材２３，２４の前部は、前部側凹部７０とほぼ同じ周方向の幅寸法に設定されている。表示部材２３，２４の後部は、後部側凹部７１とほぼ同じ周方向の幅寸法に設定されており、表示部材２３，２４の前部から後方に延びるように設けられていると共に、その後端部には外方に向けて突出する係合爪７４が一体的に設けられている。
【００４８】
本実施形態の表示部材２３，２４の組み付けは、図１１に示すように、表示部材２３，２４を取付凹部２１，２２に対しロータケース１１の内周部に沿うようにして前側から差し込むことにより行われる。この場合、表示部材２３，２４は、そのガイド部７３ａ、７３ａにて前部側凹部７０のガイド壁７０ａ，７０ａによりガイドされながら差し込まれ、表示部材２３，２４の前部が前部側凹部７０と嵌合し、係合爪７４がその可撓性により係合段部７１ａに嵌り込む。
【００４９】
以上のように本実施形態によれば、表示部材２３，２４は、その内周面が円筒状をなすロータケース１１の内周面と面一になるようにロータケース１１に取り付けられ、ロータケース１１の内周面の一部を構成する。従って、表示機能を備えた円筒状のロータケース１１の構成を極力コンパクトにすることができる。
【００５０】
また、前部側凹部７０に外周側より内周側が幅狭なガイド壁７０ａ，７０ａを形成し、表示部材２３，２４の前部にガイド壁７０ａ，７０ａと係合するガイド部７３ａ、７３ａを形成したので、ロータケース１１の内周部に設けた表示部材２３，２４が内側に外れないようにすることができる。また、前部側凹部７０の後側に表示部材２３，２４の後端部の係合爪７４が係合する係合段部７１ａを形成したので、ロータケース１１に装着された表示部材２３，２４が前側に外れないようにすることができ、表示部材２３，２４を確実にロータケース１１に固定することができる。この他、組み付け作業性を向上させることができる等、第１の実施形態と同様の効果を得ることができる。
【００５１】
なお、本発明は上記した実施形態にのみ限定されるものではなく、次のように変形または拡張することができる。
本発明の錠装置１０、５３は、机の引出しに限られず、家屋の扉、物置、金庫、車などにも適用できるものである。２個の表示部材２３、２４は、夫々異なる色の可撓性を有する材料のものであればよく、合成樹脂材料に限定するものではない。また、前述した組み立て手順はこれに限定するものではなく、先ず表示部材２３，２４をロータケース１１に組み付ける等、適宜変更してもよい。
【図面の簡単な説明】
【００５２】
【図１】本発明の第１の実施形態を示すもので、錠装置の外観斜視図
【図２】合鍵と共に示す錠装置の構成部品を分解した状態の外観斜視図
【図３】（ａ）は施錠時における錠装置の正面図、（ｂ）は解錠時における錠装置の正面図
【図４】図３（ａ）のＡ−Ａ線に沿う断面図
【図５】ロータを外した状態の錠装置の正面図
【図６】表示部材装着前の要部の斜視図
【図７】本発明の第２の実施形態を示すもので、全体の外観斜視図
【図８】（ａ）は施錠時の正面図、（ｂ）は解錠時の正面図
【図９】図８（ａ）のＢ−Ｂ線に沿う断面図
【図１０】ロータを外した状態の全体の正面図
【図１１】図６相当図
【図１２】従来例を示すもので、（ａ）は錠装置の正面図、（ｂ）はその一部を破断して示す平面図
【符号の説明】
【００５３】
図面中、１０，５３は錠装置、１１はロータケース、２１，２２は取付凹部、２３，２４は表示部材、２８は窓部、２８ａ，２８ｂは斜面、３５はロータ、３８はフランジ、４３，７０は前部側凹部、４４ａ，７１ａは係合段部、４７，７４は係合爪、４８は合鍵（鍵）、を示す。
【図１】
2007327227.tif 000003
【図２】
2007327227.tif 000004
【図３】
2007327227.tif 000005
【図４】
2007327227.tif 000006
【図５】
2007327227.tif 000007
【図６】
2007327227.tif 000008
【図７】
2007327227.tif 000009
【図８】
2007327227.tif 000010
【図９】
2007327227.tif 000011
【図１０】
2007327227.tif 000012
【図１１】
2007327227.tif 000013
【図１２】
2007327227.tif 000014